(57)【特許請求の範囲】
【請求項１】
磁気記録媒体を着脱可能に格納する記録媒体格納部を備えた電子機器において、
前記記録媒体格納部における記録媒体挿入口に着脱可能に取り付けられるカバーと、
このカバーが前記記録媒体挿入口から取り外されたことを検知する第１の検知手段と、
前記磁気記録媒体が前記記録媒体格納部から取り外されたことを検知する第２の検知手段とを備え、
前記第１の検知手段および前記第２の検知手段の少なくとも一方が検知したとき、電源からの電力の供給を遮断することを特徴とする電子機器。
【請求項２】
請求項１記載の電子機器において、
前記第１の検知手段および前記第２の検知手段は、前記記録媒体挿入口に並設したことを特徴とする電子機器。
【請求項３】
請求項１または２記載の電子機器において、
前記第１の検知手段は、前記カバーに形成された凸部の接離を検知する一方、前記第２の検知手段は、前記磁気記録媒体の後端に設けられた張出し片の接離を検知することを特徴とする電子機器。
【請求項４】
ハードディスクを着脱可能に格納する記録媒体格納部を備えた電子機器において、
前記記録媒体格納部における記録媒体挿入口に着脱可能に取り付けられるカバーと、
前記カバーが前記記録媒体挿入口に取り付けられたか否かを検知する第１の検知手段と、
前記ハードディスクが前記記録媒体格納部に装着されたか否かを検知する第２の検知手段と、を備え、
前記第１の検知手段により前記カバーが前記記録媒体挿入口に取り付けられたことを検知し、且つ、前記第２の検知手段により前記ハードディスクが前記記録媒体格納部へ装着されたことを検知した場合に電源からの電力の供給を行うことを特徴とする電子機器。
【発明の詳細な説明】
【０００１】
【発明の属する技術分野】
本発明は、電子機器に係り、特に磁気記録媒体であるハードディスクを記録媒体格納部に着脱する際の、ハードディスクのデータ保護や機器の誤操作を防止可能な電子機器に関する。
【０００２】
【従来の技術】
従来、車両内にナビゲーション装置などの電子機器を搭載することが一般化している。そして、従来のナビゲーション装置では、地図データを格納しておく記録媒体としてＣＤ（Ｃｏｍｐａｃｔ  Ｄｉｓｃ）−ＲＯＭやＤＶＤ（Ｄｉｇｉｔａｌ  Ｖｉｄｅｏ  ＤｉｓｃまたはＤｉｇｉｔａｌ  Ｖｅｒｓｅｒｔｉｌｅ  Ｄｉｓｃ）−ＲＯＭなどが用いられている。最近、これらＣＤ−ＲＯＭやＤＶＤ−ＲＯＭなどの記録媒体に代えて、安価で記憶容量が多く、かつ書き換え可能なハードディスクを用いて地図データを格納することが試みられている。
【０００３】
【発明が解決しようとする課題】
ところで、上記ＣＤ−ＲＯＭやＤＶＤ−ＲＯＭなどの記録媒体に代えて、ハードディスクを用いた場合には、記憶容量が多いことから地図データを更新する場合でも容易に対応することができるとともに、上記地図データに加えてユーザの個人データなども格納しておくことが可能となる。
【０００４】
そして、一般のユーザがナビゲーション装置のディスク挿入口に着脱可能に設けられた化粧カバーを取り外し、次いでハードディスクを取り外して新規な地図データと書き換えた後、そのハードディスクを上記ナビゲーション装置に取り付け、さらに上記化粧カバーをディスク挿入口に取り付ける場合において、装置本体側の電源回路に誤操作防止用の手段が何等設けられていないのが現状である。
【０００５】
そのため、ハードディスクをナビゲーション装置に着脱する際に、ナビゲーション装置が通電された状態であると、ハードディスクに記録されているデータが破壊される可能性が懸念されるという課題や、ハードディスクが取り付けられていない状態でナビゲーション装置に通電することにより発生する装置の誤動作の可能性が懸念されるという課題がある。
【０００６】
本発明は上記事情を考慮してなされたもので、記録媒体格納部に磁気記録媒体を着脱する際、磁気記録媒体に記録されているデータを保護し、且つ、機器の誤動作の発生を未然に防止可能な電子機器およびその電源保護方法を提供することを目的とする。
【０００７】
【課題を解決するための手段】
上記課題を解決するため、請求項１に記載の発明は、磁気記録媒体を着脱可能に格納する記録媒体格納部を備えた電子機器において、前記記録媒体格納部における記録媒体挿入口に着脱可能に取り付けられるカバーと、このカバーが前記記録媒体挿入口から取り外されたことを検知する第１の検知手段と、前記磁気記録媒体が前記記録媒体格納部から取り外されたことを検知する第２の検知手段とを備え、前記第１の検知手段および前記第２の検知手段の少なくとも一方が検知したとき、電源からの電力の供給を遮断することを特徴とする。
【０００８】
請求項１に記載の発明によれば、記録媒体挿入口に着脱可能に取り付けられるカバーが前記記録媒体挿入口から取り外されたことを検知する第１の検知手段と、前記磁気記録媒体が前記記録媒体格納部から取り外されたことを検知する第２の検知手段とを備え、前記第１の検知手段および前記第２の検知手段の少なくとも一方が検知したとき、電源からの電力の供給を遮断することにより、磁気記録媒体を着脱する際、磁気記録媒体に記録されているデータを保護し、且つ、機器の誤動作の発生を未然に防止することができる。
【０００９】
因みに、第１の検知手段だけを設置した場合には、磁気記録媒体が記録媒体格納部に取り付けられていなくても、記録媒体挿入口にカバーを取り付けただけで、バックアップ電源から負荷に電力が供給され、負荷を作動させてしまう不具合がある一方、第２の検知手段だけを設置した場合には、カバーを取り外した状態でもバックアップ電源から負荷に電力が供給されたままの状態であるという不具合を生じるからである。
【００１０】
請求項２に記載の発明は、請求項１記載の電子機器において、前記第１の検知手段および前記第２の検知手段は、前記記録媒体挿入口に並設したことを特徴とする。
【００１１】
請求項２に記載の発明によれば、記録媒体挿入口に第１の検知手段および前記第２の検知手段を並設したことにより、これら第１の検知手段および前記第２の検知手段の取付作業が容易になる。
【００１２】
請求項３に記載の発明は、請求項１または２記載の電子機器において、前記第１の検知手段は、前記カバーに形成された凸部の接離を検知する一方、前記第２の検知手段は、前記磁気記録媒体の後端に設けられた張出し片の接離を検知することを特徴とする。
【００１３】
請求項３に記載の発明によれば、第１の検知手段が前記カバーに形成された凸部の接離を検知する一方、前記第２の検知手段が前記磁気記録媒体の後端に設けられた張出し片の接離を検知することにより、第１および第２の検知手段の検知精度を高めることが可能となる。
請求項４に記載の発明は、磁気記録媒体を着脱可能に格納する記録媒体格納部における記録媒体挿入口に着脱可能に取り付けられるカバーが前記記録媒体挿入口から取り外されたことを第１の検知手段により検知した後、前記磁気記録媒体が前記記録媒体格納部から取り外されたことを第２の検知手段により検知し、少なくとも前記第１の検知手段が検知したとき、電源からの電力の供給を遮断することを特徴とする。
【００１４】
請求項４に記載の発明は、ハードディスクを着脱可能に格納する記録媒体格納部を備えた電子機器において、前記記録媒体格納部における記録媒体挿入口に着脱可能に取り付けられるカバーと、前記カバーが前記記録媒体挿入口に取り付けられたか否かを検知する第１の検知手段と、前記ハードディスクが前記記録媒体格納部に装着されたか否かを検知する第２の検知手段と、を備え、前記第１の検知手段により前記カバーが前記記録媒体挿入口に取り付けられたことを検知し、且つ、前記第２の検知手段により前記ハードディスクが前記記録媒体格納部へ装着されたことを検知した場合に電源からの電力の供給を行うことを特徴とする。
【００１５】
【発明の実施の形態】
以下、本発明の好適な実施形態を添付図面に基づいて説明する。
【００１６】
なお、以下の説明は、車載用のナビゲーション装置に対して本発明に係る電子機器を適用した場合の実施形態である。
【００１７】
図１は本発明に係る電子機器の一実施形態を適用したナビゲーション装置を示す斜視図、図２は図１のナビゲーション装置を示す正面図、図３は図１の記録媒体格納部を示し、（Ａ）は記録媒体格納部を底面側から見た斜視図，（Ｂ）は記録媒体格納部を反転した状態を示す斜視図である。なお、図１および図２では、前面パネルに取り付けられた開閉可能な前面カバーを取り外した状態を示している。
【００１８】
図１に示すように、筐体１は矩形箱状に形成され、例えば車両のダッシュボードの凹部に収納固定される。そして、筐体１内には、記録媒体収納部としてのハードディスク収納部２と、このハードディスク収納部２に隣り合って設置され、メモリカードと称される小型化された図示しないカード型記録媒体（以下、ＰＣカードという）が収納されるＰＣカード収納部３と、これらハードディスク収納部２およびＰＣカード収納部３の後部に設置される基板・ファン収納部４とが搭載される。
【００１９】
また、ハードディスク収納部２およびＰＣカード収納部３の上部には、ＣＤ−ＲＯＭやＤＶＤ−ＲＯＭなどを駆動するためのＲＯＭドライブユニット（図示せず）が搭載される。
【００２０】
なお、上記カード型記録媒体としてのＰＣカードは、本実施形態のナビゲーション装置と家庭内のパーソナルコンピュータとで情報を共有したり、または複数の電子機器間において情報を共有することが可能である。
【００２１】
前面カバーを取り外した筐体１の前面には、図１および図２に示すように前面パネル５が取り付けられ、この前面パネル５の左下部には化粧カバー６が取り付けられ、この化粧カバー６を取り外すと、図２に示すように磁気記録媒体としての２枚のハードディスク７，８を着脱するためのハードディスク挿入口９が露出し、このハードディスク挿入口９はハードディスク収納部２と連設されている。なお、図２は２枚のハードディスク７，８を装着していない状態を示している。
【００２２】
図１に示すハードディスク７には、地図データおよび個人用の音楽情報などのデータが格納されている一方、ハードディスク８には、ユーザ個人が記憶させた音楽情報などのデータが格納されている。そして、前面パネル５は、車両の進行方向に対して略垂直な状態で取り付けられている。
【００２３】
各ハードディスク７，８は、図１に示すように両側に摺動片７ａ，８ａが固定されるとともに、挿入側先端には、各々後述するコネクタと結合する多数のピン７ｂ，８ｂが植設されている一方、ハードディスク７の挿入側後端には、幅方向に張り出す張出し片７ｃが形成されている。そして、各ハードディスク７，８の挿入側後端には、それぞれハードディスク７，８を取り付けまたは取り出す際に指で掴むため、絶縁性および可撓性を有するプラスチックフィルム製の舌片７ｄ，８ｄが取り付けられている。
【００２４】
また、前面パネル５の前面右下部には、図示しないＰＣカードを挿脱するための開閉可能なカード挿入口１０が設けられ、このカード挿入口１０はＰＣカード収納部３と連設されており、カード挿入口１０の近傍には、挿入されたＰＣカードを取り出すためのイジェクトボタン１１が配置されている。
【００２５】
さらに、前面パネル５の前面上部には、ＣＤ−ＲＯＭやＤＶＤ−ＲＯＭなどを挿脱するためのＲＯＭ挿入口１２が開口して設けられ、このＲＯＭ挿入口１２は上記ＣＤ−ＲＯＭやＤＶＤ−ＲＯＭなどを駆動するためのドライブユニットと連設されており、ＲＯＭ挿入口１２の近傍には、挿入されたＣＤ−ＲＯＭやＤＶＤ−ＲＯＭなどを取り出すためのイジェクトボタン１３が配置されている。
【００２６】
ハードディスク収納部２は、図３（Ａ），（Ｂ）に示すようにステンレス鋼などの導電性金属により断面略コ字状に形成された導電性ケースとしてのケーシング１５を有し、このケーシング１５は、天板部１６と、この天板部１６の両側に屈曲形成された側板部１７，１７とから一体に構成されている。
【００２７】
これら側板部１７，１７には、互いに対向して対をなすレール部材１８，１８が固着され、これらレール部材１８，１８には、それぞれ長手方向に沿って上下に２条のガイド溝１９，２０が形成され、これらのガイド溝１９，２０に各ハードディスク７，８の各々の両側に固定された摺動片７ａ，８ａがガイドされて摺動することで、各ハードディスク７，８がケーシング１５に着脱される。したがって、対をなすレール部材１８，１８と天板部１６とで形成される空間は、ハードディスク７の着脱通路２１を構成する。
【００２８】
また、ガイド溝１９のハードディスク７の挿入端における上部壁は、円弧状に形成されるとともに、ガイド溝２０のハードディスク８の挿入端における上部壁がテーパ状に形成されていることにより、各ハードディスク７，８の摺動片７ａ，８ａのそれぞれをガイド溝１９，２０に容易に挿入することが可能となる。
【００２９】
さらに、ケーシング１５の後部には基板２２が固定され、この基板２２の内面には上下方向に２つのコネクタ２３，２３が固着されており、これらのコネクタ２３，２３は、それぞれ基板２１に固着された耐熱樹脂製のボディ２４と、このボディ２４に揺動可能に取り付けられた耐熱樹脂製の断面略Ｍ字状に形成されたカバー２５とを備え、各ハードディスク７，８がガイド溝１９，２０に装着されたとき、カバー２５，２５に各ハードディスク７，８のピン７ｂ，８ｂが差し込まれるように構成されている。
【００３０】
次に、図４〜図７に基づいてコネクタ２３の構造を詳述する。図４は図３のコネクタを示す斜視図、図５は図４の拡大正面図、図６は図５のＡ−Ａ線断面図、図７は図５の側面図である。
【００３１】
図４〜図７に示すように、コネクタ２３のボディ２４は、断面略Ｕ字状に形成され、その両側面にはそれぞれ起立壁２４ａが一体に形成され、この起立壁２４ａ下部にスリット２４ｂが穿設されている。一方、コネクタ２３のカバー２５は、断面略Ｍ字状に形成され、その上面に多数のピン７ｂまたは８ｂが差し込まれる開口部２５ａが多数形成されるとともに、両側面下部にそれぞれ突出部２５ｂが一体に形成されている。そして、これら各突出部２５ｂがボディ２４の各スリット２４ｂに嵌め込まれる。
【００３２】
また、ボディ２４およびカバー２５の内部には、金メッキされた銅合金製のコンタクト金具２６がカバー２５の開口部２５ａに対応して装着され、そのコンタクト金具２６の一端がカバー２５の開口部２５ａ近傍まで延びており、他端がボディ２４から導出されて基板２１にはんだ付けにて固定されている。これにより、ハードディスク７，８のピン７ｂ，８ｂがカバー２５の開口部２５ａに差し込まれた場合には、ピン７ｂまたは８ｂがコンタクト金具２６を通して基板２１と電気的に接続される。
【００３３】
さらに、ボディ２４に対してカバー２５は、若干の隙間２７を有して取り付けられ、ボディ２４とカバー２５とは、上記のようにボディ２４の各スリット２４ｂにカバー２５の各突出部２５ａが嵌め込まれ、かつ多数のコンタクト金具２６を介在させることにより、構造的に一体化されるとともに、ボディ２４に対してカバー２５が図６の矢印に示すように揺動可能に構成される。
【００３４】
一方、ケーシング１５の天板部１６におけるハードディスク挿入口９近傍には、図３（Ａ），（Ｂ）に示すように略Ｕ字状の切欠部３０が形成されるとともに、この切欠部３０内においてアース用接触部材としての接触爪３１が天板部１６から下方に突出して一体に形成されている。したがって、図８に示すようにハードディスク７がガイド溝１９に挿入されたときには、接触爪３１がハードディスク７の上面と接触し、ハードディスク７のピン７ｂがカバー２５の開口部２５ａに差し込まれる前にハードディスク７に帯電した静電気をケーシング１５を通して筐体１に流してアースするようにしている。
【００３５】
他方、ハードディスク７，８を着脱するためのハードディスク挿入口９の開口部には、図２に示すように上下方向に２つのスイッチ３３ａ（第１の検知手段），３３ｂ（第２の検知手段）が配置され、これらのスイッチ３３ａ，３３ｂは、図９に示すようにそれぞれ本体３４ａ，３４ｂと、それぞれ本体３４ａ，３４ｂから出没可能な作動ピン３５ａ，３５ｂとを有し、これら作動ピン３５ａ，３５ｂが押圧されたときに本体３４ａ，３４ｂ内に没してオンする一方、その押圧が解除されてそれぞれ本体３４ａ，３４ｂから作動ピン３５ａ，３５ｂが突出したときにオフになるように構成されている。
【００３６】
そして、スイッチ（第１の検知手段）３３ａは、図９に示すようにハードディスク挿入口９に化粧カバー６が取り付けられたとき、その化粧カバー６の背面に形成された凸部６ａが作動ピン３５ａを押圧して本体３４ａ内に没してオンになり、化粧カバー６が取り外されたときに作動ピン３５ａが本体３４ａから突出してオフになるように設定されている。
【００３７】
また、スイッチ（第２の検知手段）３３ｂは、ハードディスク７がガイド溝１９に装着され、ハードディスク７のピン７ｂがコネクタ２３のカバー２５の開口部２５ａに差し込まれたとき、ハードディスク７の挿入側後端に設けられた張出し片７ｃにより作動ピン３５ｂが押圧され本体３４ｂ内に没してオンになる一方、ハードディスク７がガイド溝１９から引き抜かれ、張出し片７ｃがスイッチ３３ｂから離間したときに作動ピン３５ｂが本体３４ｂから突出してオフになるように設定されている。
【００３８】
したがって、スイッチ３３ａは、図９に示すように化粧カバー６に形成された凸部６ａの接離を検知する一方、スイッチ３３ｂは、ハードディスク７の後端に設けられた張出し片７ｃの接離を検知するものである。
【００３９】
図１０は本実施形態におけるスイッチ３３ａ，３３ｂが接続された電源保護回路を示す回路図である。
【００４０】
図１０に示すように、スイッチ３３ａ，３３ｂは、上述した各種ドライブユニットなどの負荷３６に対して直列に接続されるとともに、メインスイッチ３７を介してバックアップ電源３８に接続されている。
【００４１】
したがって、図１０に示す電源保護回路は、メインスイッチ３７をオンしてもスイッチ３３ａ，３３ｂのいずれか一方がオフであると、負荷３６にバックアップ電源３８からの電力が供給されず、負荷３６が作動しないこととなる。すなわち、スイッチ３３ａ，３３ｂの双方がオンにならないと、負荷３６にバックアップ電源３８からの電力が供給されず、負荷３６が作動しないこととなる。
【００４２】
次に、本発明に係る電子機器を適用したナビゲーション装置の作用を説明する。
【００４３】
ナビゲーション装置における地図データは、しばしば更新するために書き換える必要がある。その際、ユーザが化粧カバー６を取り外してハードディスク収納部２に格納されたハードディスク７を、その舌片７ｄを掴んでハードディスク挿入口９から引き出して地図データを書き換えて更新する。
【００４４】
ここで、化粧カバー６が取り外されると、スイッチ３３ａの作動ピン３５ａが本体３４ａから突出してスイッチ３３ａがオフになる。
【００４５】
また、上記のようにハードディスク７がハードディスク挿入口９から引き出されると、ハードディスク７の挿入側後端に設けられた張出し片７ｃがスイッチ３３ｂから離間して作動ピン３５ｂが本体３４ｂから突出してスイッチ３３ｂがオフになる。
【００４６】
次いで、その更新したハードディスク７を、その舌片７ｄを掴んでハードディスク挿入口９からハードディスク収納部２に挿入する。すると、ハードディスク７の摺動片７ａがケーシング１５のレール部材１８，１８のガイド溝１９にガイドされてハードディスク７の上面が接触爪３１に接触しつつ摺動するため、人体に蓄積された静電気がハードディスク７に帯電したとしても、そのハードディスク７に帯電した静電気がハードディスク７のピン７ｂがカバー２５の開口部２５ａに差し込まれる前にケーシング１５を通して筐体１に流れ、さらに筐体１から車両のダッシュボードにアースされることとなる。
【００４７】
さらに、ハードディスク７を挿入し、そのハードディスク７のピン７ｂがコネクタ２３のカバー２５の開口部２５ａに差し込まれると、ハードディスク７の挿入側後端に設けられた張出し片７ｃがスイッチ３３ｂの作動ピン３５ｂを押圧して本体３４ｂ内に没してスイッチ３３ｂがオンになる。
【００４８】
また、図９に示すようにハードディスク挿入口９に化粧カバー６を取り付けると、その化粧カバー６の背面に形成された凸部６ａが作動ピン３５ａを押圧して本体３４ａ内に没してスイッチ３３ａがオンになる。これらスイッチ３３ａ，３３ｂがオンになり、メインスイッチ３７をオンにすると、バックアップ電源３８から負荷３６に電力が供給され、各種ドライブユニットなどの負荷３６を始めて作動させることができる。
【００４９】
因みに、本実施形態において、スイッチ３３ａ，３３ｂの双方がオンにならないと、バックアップ電源３８から負荷３６に電力が供給されないようにスイッチを２つ直列に接続した理由は、例えばスイッチ３３ａだけを設置した場合には、ハードディスク７がハードディスク収納部２に挿入されていなくても、ハードディスク挿入口９に化粧カバー６を取り付けただけで、バックアップ電源３８から負荷３６に電力が供給され、負荷３６を作動させてしまう不具合がある一方、スイッチ３３ｂだけを設置した場合には、化粧カバー６を取り外した状態でもバックアップ電源３８から負荷３６に電力が供給されたままの状態であるという不具合を生じるからである。
【００５０】
なお、本発明は上記実施形態に限定されることなく、種々の変更が可能である。例えば、上記実施形態では、ケーシング１５の天板部１６におけるハードディスク挿入口９近傍にアース用接触部材としての接触爪３１を設けたが、これに限らず地図データを格納したハードディスク７の着脱通路２１内であって、筐体１にアースすることが可能であれば、如何なる位置に配置してもよく、またアース用接触部材の形状も爪状に形成することなく、線状に形成したものであってもよい。
【００５１】
そして、本発明はハードディスク７に限らず、ハードディスク８の着脱通路２１内にアース用接触部材を配置し、ハードディスク収納部２にハードディスク８を装着する際、人体に蓄積した静電気がハードディスク８に帯電したとしても、そのハードディスク８に帯電した静電気をハードディスク８のピン８ｂがカバー２５の開口部２５ａに差し込まれる前にアース用接触部材を通してアースするようにしてもよい。
【００５２】
また、上記実施形態では、ハードディスク挿入口９の開口部に上下方向に２つのスイッチ３３ａ，３３ｂを並設したが、これに限らずスイッチ３３ｂはハードディスク７の着脱通路２１内に配置してハードディスク７がハードディスク挿入口９からハードディスク収納部２に装着されたときにオンになるようにしてもよい。
【００５３】
さらに、上記実施形態では、ハードディスク収納部２に２枚のハードディスク７，８を装着する例について説明したが、少なくとも地図データおよび個人用の音楽情報などのデータが格納されているハードディスク７を装着すればよく、また必要により３つ以上のハードディスクを装着するようにしてもよい。
【００５４】
このように本実施形態の電子機器によれば、ハードディスク７の着脱通路２１内にアース用接触部材としての接触爪３１を配置したことにより、ハードディスク収納部２にハードディスク７を装着する際、人体に蓄積した静電気がハードディスク７に帯電したとしても、そのハードディスク７に帯電した静電気をハードディスク７のピン７ｂがカバー２５の開口部２５ａに差し込まれる前に接触爪３１を通して確実にアースすることができる。これにより、ハードディスク７の記憶内容を保護するとともに、ハードディスク７から他の電子部品に静電気による高電圧が印加されることなく、他の電子部品が損傷するのを未然に防止することができる。
【００５５】
また、本実施形態によれば、ハードディスク７に予めナビゲーション装置における地図データを記憶したことにより、ハードディスク７に記憶された地図データを静電気から確実に保護することができるとともに、ハードディスク７に記憶された地図データを更新する際、装置本体側に電気的な悪影響を与えずハードディスク収納部２にハードディスク７を着脱することができる。
【００５６】
さらに、本実施形態によれば、ハードディスク７を格納するケーシング１５に接触爪３１を設けたことにより、接触爪３１を容易に設けることができる。加えて、ケーシング１５に形成された接触爪３１がハードディスク７を装着したときにその外面と接触するようにしたので、ハードディスク７に帯電した静電気をハードディスク７のピン７ｂがカバー２５の開口部２５ａに差し込まれる前に接触爪３１を通して確実かつ容易にアースすることができる。
【００５７】
そして、本実施形態によれば、接触爪３１をケーシング１５におけるハードディスク挿入口９近傍に形成したことにより、ケーシング１５にハードディスク７を装着する際、接触爪３１がハードディスク７に接触している距離および時間が長くなり、ハードディスク７に帯電した静電気をハードディスク７のピン７ｂがカバー２５の開口部２５ａに差し込まれる前に確実にアースすることができる。
【００５８】
また、本実施形態によれば、各ハードディスク７，８の挿入側後端に、それぞれハードディスク７，８を取り付けまたは取り出す際に指で掴むための絶縁性の舌片７ｄ，８ｄを取り付けたことにより、ユーザがハードディスク７，８を取り付けまたは取り出す際、人体に蓄積された静電気がハードディスク７に帯電するのを未然に防止することができる。
【００５９】
本実施形態によれば、コネクタ２３のボディ２４に対してカバー２５は、若干の隙間２７を有して各スリット２４ｂに各突出部２５ａを嵌め込み、かつボディ２４とカバー２５との間にコンタクト金具２６を介在させて一体化するとともに、ボディ２４に対してカバー２５が揺動可能であるため、コネクタ２３に対してハードディスク７，８のピン７ｂ，８ｂが多少ずれた位置関係で挿入されたとしても、ピン７ｂ，８ｂをカバー２５の開口部２５ａに容易に差し込むことが可能となる結果、カバー２５の開口部２５ａ対するハードディスク７，８のピン７ｂ，８ｂの装着の自由度を高めることができる。
【００６０】
一方、本実施形態によれば、ハードディスク挿入口９に着脱可能に取り付けられる化粧カバー６がハードディスク挿入口９から取り外されたことを検知するスイッチ３３ａと、ハードディスク７がハードディスク収納部２から取り外されたことを検知するスイッチ３３ｂとを備え、スイッチ３３ａ，３３ｂの少なくとも一方が検知したとき、バックアップ電源３８からの電力の供給を遮断することにより、ハードディスク７を着脱する際にハードディスク７に記録されているデータを保護し、且つ、機器の誤動作の発生を未然に防止することができる。
【００６１】
また、本実施形態によれば、ハードディスク挿入口９にスイッチ３３ａ，３３ｂを並設したことにより、これらスイッチ３３ａ，３３ｂの取付作業が容易になる。
【００６２】
さらに、スイッチ３３ａが化粧カバー６に形成された凸部６ａの接離を検知する一方、スイッチ３３ｂがハードディスク７の挿入側後端に設けられた張出し片７ｃの接離を検知することにより、スイッチ３３ａ，３３ｂの検知精度を高めることが可能となる。
【００６３】
そして、本実施形態の電源保護方法によれば、少なくともスイッチ３３ａが検知したとき、バックアップ電源３８からの電力の供給を遮断することにより、化粧カバー６がハードディスク挿入口９から取り外されると、電力の供給を遮断する。これにより、化粧カバー６が取り外された場合には、ハードディスク７などに対する電力の供給が遮断されることで、ハードディスク７を着脱する際にハードディスク７に記録されているデータを保護し、且つ、機器の誤動作の発生を未然に防止することができる。
【００６４】
【発明の効果】
以上説明したように本発明に係る電子機器によれば、記録媒体挿入口に着脱可能に取り付けられるカバーが記録媒体挿入口から取り外されたことを検知する第１の検知手段と、磁気記録媒体が記録媒体格納部から取り外されたことを検知する第２の検知手段とを備え、第１の検知手段および第２の検知手段の少なくとも一方が検知したとき、電源からの電力の供給を遮断することにより、磁気記録媒体を着脱する際に磁気記録媒体に記録されているデータを保護し、且つ、機器の誤動作の発生を未然に防止することができ、その結果、信頼性の高い電子機器を提供することが可能となる。
【図面の簡単な説明】
【図１】本発明に係る電子機器の一実施形態を適用したナビゲーション装置を示す斜視図である。
【図２】図１のナビゲーション装置を示す正面図である。
【図３】図１の記録媒体格納部を示し、（Ａ）は記録媒体格納部を底面側から見た斜視図，（Ｂ）は記録媒体格納部を反転した状態を示す斜視図である。
【図４】図３のコネクタを示す斜視図である。
【図５】図４の拡大正面図である。
【図６】図５のＡ−Ａ線断面図である。
【図７】図５の側面図である。
【図８】図３におけるケーシングの接触爪を示す断面図である。
【図９】図２のハードディスク挿入口の開口部に配置された２つのスイッチを示す断面図である。
【図１０】図９の２つのスイッチが直列接続された電源保護回路を示す回路図である。
【符号の説明】
１  筐体
２  ハードディスク収納部（記録媒体収納部）
３  ＰＣカード収納部
４  基板・ファン収納部
５  前面パネル
６  化粧カバー
７  ハードディスク（磁気記録媒体）
８  ハードディスク（磁気記録媒体）
９  ハードディスク挿入口（記録媒体挿入口）
１５  ケーシング（導電性ケース）
１６  天板部
１７  側板部
１８  レール部材
１９  ガイド溝
２０  ガイド溝
２１  着脱通路
２２  基板
２３  コネクタ
２４  ボディ
２５  カバー
２６  コンタクト金具
２７  隙間
３０  切欠部
３１  接触爪（アース用接触部材）
３３ａ  スイッチ（第１の検知手段）
３３ｂ  スイッチ（第２の検知手段）
３４ａ，３４ｂ  本体
３５ａ，３５ｂ  作動ピン
３６  負荷
３７  メインスイッチ
３８  バックアップ電源
【図１】
0004323729.tif 000002
【図２】
0004323729.tif 000003
【図３】
0004323729.tif 000004
【図４】
0004323729.tif 000005
【図５】
0004323729.tif 000006
【図６】
0004323729.tif 000007
【図７】
0004323729.tif 000008
【図８】
0004323729.tif 000009
【図９】
0004323729.tif 000010
【図１０】
0004323729.tif 000011